(57)【要約】【課題】  荷重に対する強度を十分に確保することのできるコンパクトな洗面器置き台を提供する。【解決手段】  浴室の壁Ｗや収納パネル等に取り付けられて、上面に洗面器を置くことのできる洗面器置き台１であって、この洗面器置き台１は、浴室の壁Ｗや収納パネルに取り付けられる基台部２と、基台部２内に収納される収納位置から、略水平に引き出される使用位置に亘り移動可能な引き出し台部３で構成されているとともに、この引き出し台部３には、引き出し台部３を収納位置から使用位置に引き出した時に、同時に引き出されて垂下状態となる支持部４が設けられている。【選択図】  図１
2005087560.tif 000002
【特許請求の範囲】
【請求項１】
浴室の壁や収納パネル等に取り付けられて上面に洗面器を置くことのできる洗面器置き台であって、該洗面器置き台は、前記浴室の壁や収納パネルに取り付けられる基台部と、該基台部内に収納される収納位置から、略水平に引き出される使用位置に亘り移動可能な引き出し台部で構成されているとともに、前記引き出し台部には、該引き出し台部を前記収納位置から使用位置に引き出した時に、同時に引き出されて垂下状態となる支持部が設けられていることを特徴とする洗面器置き台。
【請求項２】
前記支持部には、収納手段が設けられていることを特徴とする請求項１に記載の洗面器置き台。
【請求項３】
前記引き出し台部が、収納可能な中空状に形成されていることを特徴とする請求項１または請求項２に記載の洗面器置き台。
【発明の詳細な説明】
【技術分野】
【０００１】
本発明は、浴室の壁や収納パネル等に取り付けられて上面に洗面器を置くことのできる洗面器置き台に関するものである。
【背景技術】
【０００２】
従来、浴室の洗い場側壁面に対し、軸を介し回動可能な洗面器置き台が存在する。
【特許文献１】特開２００２−２０９７８７号公報
【発明の開示】
【発明が解決しようとする課題】
【０００３】
従来の回動して壁側に収納可能な洗面器置き台においては、壁に一端を固定するだけであるため、荷重に対しての強度が十分でないという問題点があった。
また、従来の洗面器置き台は、強度の強い壁にしか後付けできないという問題点があった。
【課題を解決するための手段】
【０００４】
本発明は上記従来の問題点に鑑み案出したものであって、荷重に対しての強度を十分確保でき、壁への負担も少なくなる洗面器置き台を提供せんとするものであり、請求項１は、浴室の壁や収納パネル等に取り付けられて上面に洗面器を置くことのできる洗面器置き台であって、該洗面器置き台は、前記浴室の壁や収納パネルに取り付けられる基台部と、該基台部内に収納される収納位置から、略水平に引き出される使用位置に亘り移動可能な引き出し台部で構成されているとともに、前記引き出し台部には、該引き出し台部を前記収納位置から使用位置に引き出した時に、同時に引き出されて垂下状態となる支持部が設けられていることである。
また、請求項２は、前記支持部には、収納手段が設けられていることである。
また、請求項３は、前記引き出し台部が、収納可能な中空状に形成されていることである。
【発明の効果】
【０００５】
本発明の洗面器置き台は、浴室の壁や収納パネルに取り付けられる基台部と、基台部内に収納される収納位置から、略水平に引き出される使用位置に亘り移動可能な引き出し台部で構成され、引き出し台部には、引き出し台部と同時に引き出されて垂下状態となる支持部が設けられていることにより、引き出し台部を基台部から引き出すことで、面積が広がり、洗面器を置くために十分なスペースを確保することができるものとなる。
また、引き出し台部を引き出すと同時に、支持部も引き出されるので、支持部を手動で操作する必要がなく、支持部により、洗面器置き台の荷重に対しての強度が確保されるものとなる。
【０００６】
また、支持部には、収納手段が設けられていることにより、支持部を利用してシャンプー等の備品を収納することができるものとなる。
また、引き出し台部が、収納可能な中空状に形成されていることにより、引き出し台部内に、シャンプー等の備品をスッキリと収納させることができるものとなる。
【実施例】
【０００７】
以下、本発明の実施例を図面に基づいて説明する。
図１は、浴室の洗い場側の壁Ｗに設けられた洗面器置き台の斜視図である。
この洗面器置き台１は、浴室壁Ｗに取り付けられて略水平状に洗い場側へ突出する基台部２と、この基台部２から引き出し可能な引き出し台部３と、この引き出し台部３から垂下される支持部４で構成されている。
【０００８】
支持部４は、引き出し台部３の底面から、図２に示すように、支点５を介して垂下される垂下片４ａと、垂下片４ａの下端で略水平状に折曲された当接片４ｂで構成されており、この当接片４ｂが、床面Ｆに当接して、洗面器置き台１を強固に支持できるものである。
引き出し台部３は中空箱状に形成されており、図２の使用位置では、基台部２から略水平に引き出され、この引き出された時に、同時に支持部４も引き出されて、図２のように支点５を介して垂下状となって床面Ｆに当接されるものである。
【０００９】
また、図２の状態から、引き出し台部３を基台部２側へ押し込むことにより、引き出し台部３は基台部２内に収納されてゆき、この時に、支点５を介して支持部４の垂下片４ａが引き出し台部３の底面側に回動して、図３に示すように、引き出し台部３の底面に支持部４が収納された状態となり、支持部４と引き出し台部３が同時に基台部２内に収納されるように構成されている。
この図３の状態では、浴室壁Ｗから突出するのは基台部２のみとなり、基台部２内に引き出し台部３と支持部４が収納されて、浴室壁Ｗからの突出量が少ないコンパクトな状態となる。
【００１０】
更に、図４に示すように、基台部２を、回転軸６ａまたは６ｂで回動可能に浴室壁Ｗに取り付ける構成にしておけば、上面側に回転軸６ａを設けた場合には、引き出し台部３を基台部２内に収納させた状態で、更に基台部２を上方へ回動させて、浴室壁Ｗに沿って起立させることができ、また、下面側に回転軸６ｂを設けた場合には、基台部２を下方側へ回動させて、浴室壁Ｗに沿ってコンパクトに収納させることができるものとなる。
【００１１】
なお、図５の半断面斜視図で示すように、基台部２の底側に底切欠部２ａを形成させておけば、基台部２内に引き出し台部３を収納した状態では、図６の縦断面拡大構成図で示すように、基台部２の底に開口した底切欠部２ａ内に支持部４が嵌まり込んで面一状態となり、スッキリとした収納状態が得られるものとなる。
【００１２】
更に、図７に示すように、引き出し台部３を中空状に形成させて、内部に備品等を収納できる収納スペースＳを確保しておき、引き出し台部３の上面に開閉可能に上蓋３ａを取り付けて構成しておけば、収納スペースＳ内に良好にシャンプー等の備品を隠蔽状に収納しておくことができ、上蓋３ａを開けて良好にシャンプー等を取り出して使用できるものとなる。
【００１３】
また更には、図８に示すように、引き出し台部３の前面側に開閉可能に前蓋３ｂを設けた構成にしておけば、この前蓋３ｂを開けて、引き出し台部３内の収納スペースＳ内に収納してあるシャンプー等の備品を良好に取り出して使用できるものとなる。
なお、前蓋３ｂに貫通孔３ｄを形成させておき、この貫通孔３ｄからシャンプー等の先端のノズル部のみが前方側へ突出できるように構成しておくこともできる。
この場合は、常には前蓋３ｂを閉じた状態で、貫通孔３ｄから前方側へシャンプー等のノズルのみを突出させておき、前蓋３ｂを閉じたままでノズルを押圧して、シャンプーを良好に使用できるものとなる。
【００１４】
なお、図９の側面図で示すように、引き出し台部３の底面に複数の排水溝３ｃ，３ｃ，３ｃを貫通形成させておけば、収納スペースＳ内に水が入った場合にも、収納スペースＳ内に溜まった水を、この排水溝３ｃ，３ｃから排水させることができ、収納スペースＳ内に雑菌やカビが発生するのを防ぐことができ、清掃性も向上するものとなる。
【００１５】
なお更には、図１０に示すように、支持部４の垂下片４ａの前面に、落下防止バー７を取り付けておけば、支持部４の当接片４ｂ上に、シャンプー等の備品を良好に収納させることができるものとなり、支持部４を収納手段として有効に利用することができ、シャンプー等をスッキリとした状態に収納できるものとなる。
なお、洗面器置き台１の基台部２及び引き出し台部３の上面には、排水を良好化させるために、ある程度の水勾配を設けておくことが好ましい。
【図面の簡単な説明】
【００１６】
【図１】浴室壁に設けられた洗面器置き台の使用状態の斜視構成図である。
【図２】洗面器置き台の使用状態の側面構成図である。
【図３】洗面器置き台の収納状態の側面構成図である。
【図４】更に収納状態において、洗面器置き台を壁面側へ回動可能に構成した場合の側面説明図である。
【図５】基台部の底側に底切欠部を形成した場合の洗面器置き台の半断面斜視図である。
【図６】収納状態の縦断面拡大構成図である。
【図７】引き出し台部に上蓋を設けた場合の要部斜視構成図である。
【図８】引き出し台部の前面に前蓋を設けた場合の要部斜視構成図である。
【図９】引き出し台部の底面に排水溝を形成させた場合の側面構成図である。
【図１０】支持部を収納手段として用いている場合の要部斜視構成図である。
【符号の説明】
【００１７】
１  洗面器置き台
２  基台部
２ａ  底切欠部
３  引き出し台部
３ａ  上蓋
３ｂ  前蓋
３ｃ  排水溝
３ｄ  貫通孔
４  支持部
４ａ  垂下片
４ｂ  当接片
５  支点
６ａ，６ｂ  回転軸
７  落下防止バー
【図１】
2005087560.tif 000003
【図２】
2005087560.tif 000004
【図３】
2005087560.tif 000005
【図４】
2005087560.tif 000006
【図５】
2005087560.tif 000007
【図６】
2005087560.tif 000008
【図７】
2005087560.tif 000009
【図８】
2005087560.tif 000010
【図９】
2005087560.tif 000011
【図１０】
2005087560.tif 000012